(57)【要約】本発明は、航空機客室の設置物用配管接続部（６，６’，６’）  の構造体に関する。該構造体は、複数の配管接続部を収納する配管接続部要素を備え、前記配管接続部要素（６，６’，６’）が前記フロア格子内に固定位置を有し、前記配管接続部が航空機システムのシステム配管（７−１１）に適応するように構成され、前記設置物が、前記配管接続部要素上の可撓性の入口配管（１４，１４’，１５，１５’）によって調製可能である、航空機客室の設置物用配管接続部の構造体。【選択図】図４
2008529875.tif 000002
【特許請求の範囲】
【請求項１】
航空機客室の設置物用配管接続部の構造体であって、
前記配管接続部が前記客室のフロア格子の領域に設けられ、
前記構造体が、複数の配管接続部を収納する配管接続部要素を備え、                
前記配管接続部要素が前記フロア格子内に固定位置を有し、
前記配管接続部が航空機システムのシステム配管に適応するように構成され、
前記接続部要素が、可撓性の入口配管によって、前記配管接続部要素の設置物に適応するように構成された、航空機客室の設置物用配管接続部の構造体。
【請求項２】
前記配管接続部要素が、調理室としての前記設置物の設計に応じて、特定の要件を満たす配管接続部を備える、請求項１記載の構造体。
【請求項３】
前記配管接続部要素が、トイレとしての前記設置物の設計に応じて、特定の要件を満たす配管接続部を備える、請求項１記載の構造体。
【請求項４】
前記配管接続部が、使用しない場合は、配管接続部要素を閉じることができるように設計されている、請求項１又は請求項３の何れかに記載の構造体。
【請求項５】
前記設置物が設置物スペースを備え、
前記設置物スペース内に可撓性の入口配管が
前記配管の長手方向に長さを調整可能な手段によって、設置物スペースの位置の位置変更に応じて調製できる、請求項１から請求項４迄の何れかに記載の構造体。
【請求項６】
前記入口配管が、可撓性のコルゲートホースである、請求項１から請求項５迄の何れかに記載の構造体。
【請求項７】
前記入口配管が、可撓性の配管又はホースである、請求項１から請求項５迄の何れかに記載の構造体。
【請求項８】
前記入口配管が、一方から他方へ摺動可能な導管である、請求項１から請求項５迄の何れかに記載の構造体。
【発明の詳細な説明】
【技術分野】
【０００１】
本発明は、航空機客室の設置物用配管接続部の構造体に関する。
【０００２】
本出願は、その開示内容が参照により本明細書に援用される、２００５年２月１５日出願の独国特許出願第１０  ２００５  ００７  ０５８．２号及び２００５年２月１７日出願の米国特許仮出願第６０／６５３，６９９号の出願日の利益を主張するものである。
【背景技術】
【０００３】
客席とは別に、乗客を輸送する航空機客室は、乗客に供給するため、及び／又は乗客が使用するための設置物を備えている。航空機の客室内の、例えば、トイレ又は調理室等の、それら設置物は標準装備とも呼ばれ、その設置位置に、水、空気などを、航空機内の供給用配管によって供給する、或いは、廃水又は廃棄物を衛生配管によって除去するようになっている。必要な要件に応じて、例えば、真空、廃水、補助冷却又は飲料水などの個別のシステム配管が備えられる。
【０００４】
個別の要件に応じて、標準装備は、航空機客室内の様々な場所に配置でき、システム配管は、こうして配置された標準装備との接続ポイントの位置に応じて敷設することになる。
【０００５】
このような構造体において、各標準装備の位置は、必要とするシステムの入口配管とは別に独立して適合する必要がある。このため、全ての個別の標準装備の場所に多様なシステム入口部が設けられている。図１に示す一例をもってこれを説明する。ここに示す客室レイアウトの上部断面図は、実際に使用される配管接続部及び接続フランジだけではなく、可能な接続の選択肢を維持するために必要な代替の輸送配管経路も示している。標準装備の位置に変更があった場合、システム入口配管の経路を変更するためには多大なコストがかかる。
【発明の開示】
【発明が解決しようとする課題】
【０００６】
航空機の客室内の様々な位置に設けられた設置物用の配管に沿って接続部用のスペースを設けたものが米国特許第５０８３７２７号に記載されている。このような構造によって、例えば、水などの供給及び分配用配管は客室の上部領域に敷設され、上部から調理室又はトイレなどの設置物に接続している（図２又は図８を参照）。廃棄物用の配管は、フロア下部に位置し、複数の接続部を有し、未使用の接続部には、「ブラインドストッパー」が設けられている（図１６、図１７）。これらの標準装備の位置が変更する場合には、供給用配管を介して他の接続部と接続するようにしており、未使用の接続部はシールしている。供給用配管及び接続部は、基本的に標準装備の上部に敷設されている。廃棄物用の配管はフロアの下部を走っている。したがって、標準装備の位置を変更する場合、個別に走っているシステム配管の接続部を全て造り直す必要がある。
【課題を解決するための手段】
【０００７】
本発明は、設置物の位置を変更する場合、必要なシステム配管を多くのコストをかけずに接続することができる航空機の客室内の配管接続部を提供することを目的とする。
【０００８】
本発明によると、この目的を請求項１に記載の手段によって達成してもよい。
【０００９】
本発明のシステムポートは、フロアパネル下方の機械的システムと標準装備の間の遷移装置である。ここで、遷移装置は、フロア格子の所定の位置に固定されてもよい。しかしながら、遷移装置は、標準装備、即ち、設置されたモジュールが実際に接続部を必要とする場合のみ設けられる。標準装備は、様々な場所に設置できる。本発明によると、標準装備内に可撓性をもって実施される配管接続部は、任意の位置に適応する。
【００１０】
標準装備の位置のかかる可撓性は、標準装備内のシステム接続部との可撓性をもった入口配管によって実現される。この可撓性によって、標準装備を、システム接続部の設置物と分離することなく、しかもシステム接続部の設置物とは独立して（システムポートの可撓性の一部として）配置できる。標準装備に使用しないシステム配管は閉じて、閉管用蓋によって密封できる。
【００１１】
本発明の解決手段によって、以下のことが実現できる。
−  標準装備の配置位置の選択肢がシステム接続部から大きく独立した。
−  例えば、横ばりの側方に設けられるシステムポートへの選択肢が柔軟になったため、標準装備の場所に関して排他的な区域がなくなり、構造体を横ばり上部に設けることも可能となった。
−  客室レイアウトの構成を迅速に変更できる。
−  製造工程において、最終的な客室構成の決定を比較的遅くできる。
−  フロアパネル下部に取り付けるその他の全てのシステムを信頼性をもって設計できるようにフロアパネル下部のシステム配管の経路を、予め決定できる。
−  フロアパネル上部及び下部の設置物の作業を分けて行える。
−  使用する部品の数を削減（標準化）できる。
−  標準装備を特定のシステム接続部の位置に合わせる必要がなくなり、標準装備を同一の設計にできる。
【００１２】
本発明の改善及び更なる実施の形態を従属の請求項に記載する。その他の詳細な説明及び特徴は、本発明の続く実施の形態の説明で明らかになる。
【発明を実施するための最良の形態】
【００１３】
以下、本発明の実施の形態について図１から図４を参照してより詳細に説明する。図において同一の構成要素には、同一の参照番号を付している。
【００１４】
図１は、航空機客室１の客室レイアウトを示す上部断面図である。長手方向の座席レール２と横手方向の横ばり３が示されている。実際に使用する配管接続部４は、接続フランジ５で示されている。例えば、実際の配管接続部５，５’，５’’に対応する航空機客室１において規定の場所に位置するトイレ又は調理室等の標準装備又は設置物けスペースが存在する。別の位置に標準装備を配置する場合は、それに応じて配管接続部を変更し、これらの配管接続部については、代わりの位置の代わりの輸送配管経路、例えば、輸送配管４Ａ，４Ａ’．．．又は４Ｂ，４Ｂ’．．．等への接続部が必要である。図示した多岐にわたる可能な接続部の選択肢から、標準装備の位置に変更があった場合、システム入口配管の経路を変更するためには製造工程と作業時間を要し、多大なコストがかることが明らかである。
【００１５】
図２に、本発明の２つの実施の形態の配管接続部要素６を示す。配管接続部要素６は、システムポートと呼ぶことができ、標準装備用に必要な配管接続部を組み込んでいる。システムポート６で、フロア下でシステム配管経路が対応して構成されている。したがって、２本の別々のシステム配管を接続する必要はなく、標準装備３は、システムポート６を介して供給される。この種の解決策によって簡略化でき、また、客室の構成の決定を比較的後にできることは、客室レイアウトに関するクライアントの要望による変更が、比較的遅くても実施可能となるため、まさに航空機の構想段階において有利である。
【００１６】
「小」と図示された左側の実施の形態６’は、廃棄物処理（真空廃棄）用の配管接続部７及び飲料水用の配管接続部７を備えている。「大」と図示された右側の実施の形態６’’のシステムポートは、廃棄物処理（真空廃棄）用の配管接続部７及び飲料水用の配管接続部８の他に、冷却システム（冷気導入、冷気導出）に接続したシステム接続部９、１０、及び廃水システムに接続した接続部１１を備えている。必要のないシステム配管との接続部を有するシステムポート６は、閉じて閉管用の蓋によって密封してもよい。
【００１７】
図３に、システムポート６の設置物構造体を示す。システムポート６は、フロアパネル１２の下を延在し、標準装備が接続するシステムの遷移装置として設けられている。システムポート６は、標準装備が実際に接続を必要とする場合に限り、フロア格子の所定の位置に設けられ、フロア１２に組み込まれている。接続部は必要に応じて長手方向に変更可能であるため、標準装備は、システムボードの位置の周りの様々な位置の一つに位置する、或いは摺動可能であり、標準装備内で柔軟性のある配管接続部は、その所定の位置に対応するようになっている。
【００１８】
図４は、標準装備１３と効果的に接続した状態のシステムポート６の断面図である。一例として、本実施の形態において、標準装備又は設置物スペース１３は調理室とし、本実施の形態では、真空廃棄用の配管接続部７及びシステムボード６’の飲料水用の配管接続部８へそれぞれ入口配管１４、１５を介して連結した配管接続部１６を備える。システムボード６’は、フロア格子１２の固定位置にある。標準装備の配管接続部１６は、調理室として構成される標準装備１３の上に位置する。入口配管１４及び／又は１５が柔軟性を有するため、これらの標準装備の配管接続部は、この位置に制限されることはなく、標準装備１３の機能性に応じて、標準装備内に敷設する配管の要件を最適化するため、他の位置に位置してもよい。図４Ａ（左側）及び図４Ｂ（右側）は、入口配管１４、１５の柔軟性によって、標準装備内で標準装備１３の位置が柔軟性を有することを示している。標準装備は、システム接続部の設置物部から分離せず代わりの位置に（システムボードの柔軟性の一部として）配置できる。第１の位置における標準装備１３用の配管１４、１５の長さが、標準装備１３’の位置の配管１４’及び１５’の長さに対して変更されたことは、図４Ａ及び図４Ｂの比較から明かである。これは、柔軟性のある配管又は少なくとも柔軟性のある配管部によって達成できる。
【００１９】
設置物スペース１３内の配管の長さの変更は、入口配管１４、１５の柔軟性を要し、例えば、配管の長手方向に変化可能な配管の長さによって実現できる。例えば、一方から他方へ摺動可能な可撓性のコルゲートホース、可撓性配管又は可撓性ホース、導管が考えられる。入口配管１４、１５に対して適当な保持装置及び付属部品を必要に応じて設置物スペース１３に設ける。
【００２０】
本明細書において「備える」という用語は、それ以外の構成要素又はステップを排除するものではなく、単数形の表現は複数形の可能性を排除するものではない。更に、異なる実施の形態に関連して記載している構成要素は、組み合わせてもよい。又、特許請求の範囲の参照符号は、特許請求書の範囲を限定するものと解釈すべきでないことに留意されたい。
【図面の簡単な説明】
【００２１】
【図１】フロア構造の上部断面図で、従来の種類のシステム接続部を示す図である。
【図２】本発明の２つの実施の形態のシステム接続部の構成要素を示す図である。
【図３】フロアパネル領域のシステム接続部構成要素の構造体を示す図である。
【図４】標準装備の位置が異なる２つの実施の形態のシステム接続部構成要素の断面図である。
【図１】
2008529875.tif 000003
【図２】
2008529875.tif 000004
【図３】
2008529875.tif 000005
【図４】
2008529875.tif 000006
【国際調査報告】
2008529875.tif 000007
2008529875.tif 000008
2008529875.tif 000009
2008529875.tif 000010